(57)【要約】【課題】  高解像度・高品質なデータを得るためのフィルムスキャン装置及びシステム及び方法を提供すること。【解決手段】  処理装置２は、真空ポンプ等の排気装置２により、透明板１２とフィルム５０の間の空気が吸引され、両者が吸着され、フィルム５０が枠１３に押さえられて、透明板１２とフィルム５０と枠１３とバキュームユニット１１が密着され、フィルム５０が一層精密に平面・平坦に固定・保持される。処理装置３は、読み取り部３０及び光源部２０を制御して、フィルム５０を直接フィルム面からスキャンして画像データを検出し、検出した画像データをメモリに保存する。【選択図】図１
2018007172.tif 000002
【特許請求の範囲】
【請求項１】
フィルムスキャン装置であって、
センサを駆動してフィルム面を直接スキャンすることで、フィルムの画像データを検出する読み取り部と、
光源部と、
前記光源部と前記読み取り部の間に配置され、スキャンされる対象のフィルムを保持するバキュームホルダーと
を備え、
前記バキュームホルダーは、
反射防止のコーティングを有する又は無反射の透明板と、
前記透明板の周囲部分と重なる予め定められた幅の周辺部を有して内側が開口され、周辺部の各々に複数の排気穴を有し、周辺部の複数の排気穴の列の内側に、複数の排気穴を塞がないように、スキャンされる対象のフィルムが搭載される幅を有する枠と、
前記透明板及び前記枠を搭載するための予め定められた幅の縁部を有して内側が開口され、縁部に前記枠の複数の排気穴にそれぞれ対応する位置に設けられた複数の吸気穴と、排気装置に接続される吸気口と、複数の吸気穴と吸気口を接続する吸気路を有するバキュームユニットと、
を備え、
前記枠と前記透明板の間に、スキャンされる対象のフィルムが搭載され、前記バキュームユニットに接続された排気装置により吸引又は排気されることで、前記透明板とフィルムと前記枠と前記バキュームユニットが密着されて、フィルムが平坦又は平面に固定及び／又は保持され、
前記読み取り部が、直接フィルム面をスキャンして、前記光源部からの出力光により画像データを検出する、
フィルムスキャン装置。
【請求項２】
請求項１に記載のフィルムスキャン装置において、
前記読み取り部は、前記光源部からの出力光のフィルムの透過光により直接フィルム面をスキャンし、画像データを取得することを特徴とするフィルムスキャン装置。
【請求項３】
請求項１に記載のフィルムスキャン装置において、
前記読み取り部と前記光源部は一体構成で直接フィルム面をスキャンし、前記光源部の出力光のフィルムからの反射光により画像データを取得することを特徴とするフィルムスキャン装置。
【請求項４】
請求項１乃至３のいずれかに記載のフィルムスキャン装置において、
前記透明板は、ノングレアガラス、無反射ガラス、アンチニュートンガラス、アクリル板、プラスチック板、のいずれかであることを特徴とするフィルムスキャン装置。
【請求項５】
請求項１乃至４のいずれかに記載のフィルムスキャン装置において、
前記透明板は、透明の複数の材料による積層板であることを特徴とするフィルムスキャン装置。
【請求項６】
請求項１乃至５のいずれかに記載のフィルムスキャン装置において、
前記枠は、シリコンゴムシート・シリコン・ゴム・プラスチック又はその他の弾性材、又は、前記透明板と比べて柔らかい材料を用いることを特徴とするフィルムスキャン装置。
【請求項７】
請求項１乃至６のいずれかに記載のフィルムスキャン装置において、
前記枠は、排気穴の列の内側に、フィルムを装着するために外側の周縁より幅が小さくなるような段差が設けられていることを特徴とするフィルムスキャン装置。
【請求項８】
請求項１乃至７のいずれかに記載のフィルムスキャン装置において、
前記バキュームユニットは、内部に吸気路を有する積層構造であることを特徴とするフィルムスキャン装置。
【請求項９】
請求項８に記載のフィルムスキャン装置において、
前記バキュームユニットは、
排気装置へ接続するためのジョイントが設けられ、吸気口を有するホルダートップと、
吸気穴が設けられた第１の中間層と、
吸気路を形成するための第２の中間層と、
ホルダーベースと、
を含む積層構造であることを特徴とするフィルムスキャン装置。
【請求項１０】
請求項１乃至９のいずれかに記載のフィルムスキャン装置において、
前記バキュームユニットは、
吸気口が、開口部分の周囲の一辺の中心又は中心付近に開口部分に近い位置に設けられ、
複数の吸気穴が、左右対称且つ上下対称に、開口部分の周囲の縁部に設けられ、
吸気路が、左右対称且つ上下対称に、開口部分の周囲に沿って設けられ、吸気口に集約して導かれる、
ことを特徴とするフィルムスキャン装置。
【請求項１１】
請求項１乃至１０のいずれかに記載のフィルムスキャン装置において、
前記バキュームユニットの吸気口及び前記枠の排気口は、１列又は複数列で予め定められた間隔で設けられたことを特徴とするフィルムスキャン装置。
【請求項１２】
請求項１乃至１１のいずれかに記載のフィルムスキャン装置において、
前記バキュームユニットの縁部は、表面に対して前記透明板及び前記枠が搭載される凹部構造であり、前記凹部構造は、前記透明板の表面が前記バキュームユニットの表面又は表面以下に、周囲の隙間無く収まる程度の深さ及びサイズである、
ことを特徴とするフィルムスキャン装置。
【請求項１３】
フィルムスキャンシステムであって、
請求項１乃至１２のいずれかに記載のフィルムスキャン装置と、
フィルムスキャン装置に接続され排気又は吸気動作を行う排気装置と、
を備えたフィルムスキャンシステム。
【請求項１４】
請求項１３に記載のフィルムスキャンシステムにおいて、
処理部、メモリ、表示部、出力部を有する処理装置
をさらに備え、
前記処理部は、
排気装置による排気又は吸気を制御し、
前記読み取り部及び前記光源部を制御して、画像データを検出し、検出した画像データをメモリに保存し、
メモリに保存されたデータを表示部に表示及び／又は出力部等に出力する、
フィルムスキャンシステム。
【請求項１５】
フィルムスキャン装置におけるフィルムスキャン方法であって、
前記フィルムスキャン装置は、
センサを駆動してフィルム面を直接スキャンすることで、フィルムの画像データを検出する読み取り部と、
光源部と、
前記光源部と前記読み取り部の間に配置され、スキャンされる対象のフィルムを保持するバキュームホルダーと
を備え、
前記バキュームホルダーは、
反射防止のコーティングを有する又は無反射の透明板と、
前記透明板の周囲部分と重なる予め定められた幅の周辺部を有して内側が開口され、周辺部の各々に複数の排気穴を有し、周辺部の複数の排気穴の列の内側に、複数の排気穴を塞がないように、スキャンされる対象のフィルムが搭載される幅を有する枠と、
前記透明板及び前記枠を搭載するための予め定められた幅の縁部を有して内側が開口され、縁部に前記枠の複数の排気穴にそれぞれ対応する位置に設けられた複数の吸気穴と、排気装置に接続される吸気口と、複数の吸気穴と吸気口を接続する吸気路を有するバキュームユニットと、
を備え、
前記枠と前記透明板の間に、スキャンされる対象のフィルムを搭載し、前記バキュームユニットに接続された排気装置により吸引又は排気することで、前記透明板とフィルムと前記枠と前記バキュームユニットを密着して、フィルムを平坦又は平面に固定及び／又は保持し、
前記読み取り部により、直接フィルム面をスキャンして、前記光源部からの出力光により画像データを検出する、
フィルムスキャン方法。
【発明の詳細な説明】
【技術分野】
【０００１】
本発明は、フィルムスキャン装置及びシステム及び方法に係り、特に、フィルムを保持するバキュームホルダーを備えたフラットヘッドスキャナー等のフィルムスキャン装置及びシステム及び方法に関する。
【背景技術】
【０００２】
絵画や彫刻といった伝統的なメディアによる表現は、直接的に身体を介して素材に関わるために、急激な技術革新にさらされる事は必ずしも多くは無い。しかしながら、新たなメディアである写真や映像表現は、身体と表現の間にあるメカニズムそのものが科学技術と不可分であるために、現在、デジタル化の波にさらされている。
最新のデジタルカメラは解像度も非常に高くプロフェッショナルのニーズをほぼ完全に満たしている。しかしフィルムの性能も歴史的に最高の状態であり、フィルムを使用することにより可能性を広げることができる。特に８ｘ１０といった大型フィルムの描写力は、簡単にはデジタルカメラでは置き換えられない。従ってこのフィルムの情報を余すことなくデジタル化して読み込む装置が求められる。そのために写真プロフェッショナル用のスキャナーは４ｘ５ｉｎｃｈまでの対応しかなく、印刷業界の特殊なドラムスキャナーか、一般用のフラットベッドスキャナーしか選択肢が無い。フラットベッドスキャナーのセンサーの解像度は非常に高く優秀であるが、大型フィルムの平面性を保つ機構に課題がある。従って、そのフィルムの保持機構を改善し全面に均一な焦点を結ぶことが可能になれば、高性能な最新のインクジェットプリントと組み合わせることにより、銀塩写真技術に比べても遜色の無いファインプリントのシステムが構築される。
【先行技術文献】
【非特許文献】
【０００３】
【非特許文献１】http://aztek.com/Epson%20V750%20KAMI%20Kit.htm
【発明の概要】
【発明が解決しようとする課題】
【０００４】
レンズを通じた光が感光材料に焼き付けられる事と、電気信号に置き換えられて記録される事には、本質的な写真の違いがある。両者は、すでに解像度的な比較ではかなり近いところまできているが、しかし、粒子とピクセルの違い、ノイズの違い、長時間露光の難易などによって、両者には明らかな違いが生ずる。また、例えば、８×１０ｉｎｃｈ以上の超大型フィルムの圧倒的な描写力は、たやすくデジタルで置き換えることは難しい。
一方、パーソナルコンピューターの性能向上は著しく、大容量のデータでも無理なく処理できる時代になってきた。大型フィルムの高精細で階調豊かな画像を高解像度スキャニングすることにより、その巨大なデータは、デジタルカメラでは不可能な表現も可能にすることができる。しかし、現実的にはフィルムの消費が急減したことにより、メーカーからフィルムスキャナーの新開発はほとんど行われなくなってしまった。現在プロフェッショナル向けの最高級スキャナーは、４×５ｉｎｃｈをカバーするのみである。それ以上のサイズは、印刷用のドラムスキャナーを除けば、フラットベッドタイプの一般消費者用のもので、高精細・高解像度ではあるが、フィルム保持機構に課題があり全面をシャープにスキャンすることができない。透過原稿にも対応し、ある程度の大型フィルムのスキャニングにも対応しているものもある。しかし、一般に、温度・湿度・その他の物理的・化学的要因、保存・経年要因等の様々な要因によりフィルムの反りや平面性等が十分に保たれない場合が多い。また、ある程度の大型フィルムを直接ガラスの上に置いてスキャニングをするとニュートンリングができてしまう場合がある等という、決定的な課題が生じていた。
もともと写真におけるデジタル化が進められたのは、例えば、近代の写真技術である銀塩写真における銀資源の枯渇と、また現像液等の処理過程における環境問題の解決等のためであり、銀塩写真の性能や質に問題があったわけでは無い。しかしながら、急激なデジタル化によって、銀塩材料の生産は急激に縮小しつつあり、素材そのものが手に入らなくなりつつある。
現在、大型フィルムの能力を高精細デジタル化するためには、必要とする芸術家等が自ら研究開発し、従来のスキャニング法の課題を明らかにし、新たな高精細スキャニング法および、新たな最高品質デジタルデータ作成法を開発する必要性がある  また、米国などでは、揮発性の液体の吸着力によって均一にガラス面に貼り付けるウエットスキャンが主流だが（非特許文献１）、大切なフィルムを液体に浸すことが想定される。そしてドラムスキャナーは特殊な印刷専門業者しか取り扱わず、しかも、ウエットスキャン同様、専用オイルに浸して吸着させることが想定される。
【０００５】
本発明は、以上の点に鑑み、高解像度・高品質なデータを得るためのフィルムスキャン装置及びシステム及び方法を提供することを目的とする。
【課題を解決するための手段】
【０００６】
本発明の第１の解決手段によると、
フィルムスキャン装置であって、
センサを駆動してフィルム面を直接スキャンすることで、フィルムの画像データを検出する読み取り部と、
光源部と、
前記光源部と前記読み取り部の間に配置され、スキャンされる対象のフィルムを保持するバキュームホルダーと
を備え、
前記バキュームホルダーは、
反射防止のコーティングを有する又は無反射の透明板と、
前記透明板の周囲部分と重なる予め定められた幅の周辺部を有して内側が開口され、周辺部の各々に複数の排気穴を有し、周辺部の複数の排気穴の列の内側に、複数の排気穴を塞がないように、スキャンされる対象のフィルムが搭載される幅を有する枠と、
前記透明板及び前記枠を搭載するための予め定められた幅の縁部を有して内側が開口され、縁部に前記枠の複数の排気穴にそれぞれ対応する位置に設けられた複数の吸気穴と、排気装置に接続される吸気口と、複数の吸気穴と吸気口を接続する吸気路を有するバキュームユニットと、
を備え、
前記枠と前記透明板の間に、スキャンされる対象のフィルムが搭載され、前記バキュームユニットに接続された排気装置により吸引又は排気されることで、前記透明板とフィルムと前記枠と前記バキュームユニットが密着されて、フィルムが平坦又は平面に固定及び／又は保持され、
前記読み取り部が、直接フィルム面をスキャンして、前記光源部からの出力光により画像データを検出する、
フィルムスキャン装置が提供される。
【０００７】
本発明の第２の解決手段によると、
フィルムスキャンシステムであって、
上述のようなフィルムスキャン装置と、
フィルムスキャン装置に接続され排気又は吸気動作を行う排気装置と、
を備えたフィルムスキャンシステムが提供される。
【０００８】
本発明の第３の解決手段によると、
フィルムスキャン装置におけるフィルムスキャン方法であって、
前記フィルムスキャン装置は、
センサを駆動してフィルム面を直接スキャンすることで、フィルムの画像データを検出する読み取り部と、
光源部と、
前記光源部と前記読み取り部の間に配置され、スキャンされる対象のフィルムを保持するバキュームホルダーと
を備え、
前記バキュームホルダーは、
反射防止のコーティングを有する又は無反射の透明板と、
前記透明板の周囲部分と重なる予め定められた幅の周辺部を有して内側が開口され、周辺部の各々に複数の排気穴を有し、周辺部の複数の排気穴の列の内側に、複数の排気穴を塞がないように、スキャンされる対象のフィルムが搭載される幅を有する枠と、
前記透明板及び前記枠を搭載するための予め定められた幅の縁部を有して内側が開口され、縁部に前記枠の複数の排気穴にそれぞれ対応する位置に設けられた複数の吸気穴と、排気装置に接続される吸気口と、複数の吸気穴と吸気口を接続する吸気路を有するバキュームユニットと、
を備え、
前記枠と前記透明板の間に、スキャンされる対象のフィルムを搭載し、前記バキュームユニットに接続された排気装置により吸引又は排気することで、前記透明板とフィルムと前記枠と前記バキュームユニットを密着して、フィルムを平坦又は平面に固定及び／又は保持し、
前記読み取り部により、直接フィルム面をスキャンして、前記光源部からの出力光により画像データを検出する、
フィルムスキャン方法が提供される。
【発明の効果】
【０００９】
本発明によると、高解像度・高品質なデータを得るためのフィルムスキャン装置及びシステム及び方法を提供することができる。
【図面の簡単な説明】
【００１０】
【図１】フィルムスキャン装置及びシステムの構成図。
【図２】バキュームホルダー１０の斜視図。
【図３】バキュームホルダー１０の構造レイヤーの説明図。
【図４】バキュームホルダー１０の断面図。
【図５】バキュームホルダー１０の断面の拡大説明図。
【図６】バキュームホルダー１０の平面図。
【図７】フィルムスキャンシステムの動作についての説明フローチャート。
【図８】フィルムスキャン装置の動作についての説明図。
【図９】枠の変形例の断面図を示す。
【発明を実施するための形態】
【００１１】
Ａ．概要
本実施の形態では、例えば、フィルムをガラス等の透明板の内側に真空吸着させて精密に固定し、光学系により（ガラス等の透明板を介在せずに）直接フィルム面から画像データをスキャンして読み込むようにした。
本実施の形態によると、写真表現のための最高画質を極めることができ、現状における一般的な最高画質であるフィルム（例えば、８ｘ１０ｉｎｃｈ）と最高画質デジタルカメラとの画質比較をもとに、今日的な最高画質の獲得と、そのプリントを実現することができ、フィルムスキャン装置及びシステム及び方法を提供することができる。具体的には、本実施の形態では、例えば、大判フィルムの最高画質のフィルムスキャン装置及びシステム及び方法を提供し、フィルムのデータを高精細にデジタル化し引き出すために、フィルム固定方式を工夫し、フラットベッド方式を応用したスキャナーを用いることで、最高画質が得られる。
【００１２】
本実施の形態では、特に、フラットベッド方式のスキャナーのセンサーと大判フィルムとの光学経路の改良・見直しと、フィルムの固定方法をバキューム式とし平面性を向上させて、超高精細の画像データを得ることができるフィルムスキャン装置及びシステム及び方法が提供される。
一般のフラットベッドタイプのスキャナーは安価に組み立てられ、幅広いフィルムサイズに対応できるが、その構造から、フィルムの平面性を保持することが必ずしも容易ではない。また、ガラス越しにスキャンするために、大型フィルムにはニュートンリングが生じる場合があるなどの課題があった。
そこで、本実施の形態では、フラットベットタイプを応用・改良したスキャナーを用いて、フィルムをバキューム吸着式で平面保持する構成により、ガラス面等の透明板面を読み取り部の光学系と逆位置にする事により内面反射の課題も解決し、高解像度のフィルムスキャン装置及びシステム及び方法を提供することができる。
【００１３】
Ｂ．フィルムスキャン装置及びシステム
図１に、フィルムスキャン装置及びシステムの構成図を示す。
フィルムスキャンシステム１００は、例えば、フィルムスキャン装置１、排気装置２、処理装置３、を備える。フィルムスキャン装置１は、バキュームホルダー１０、光源部２０、読み取り部３０、を備える。フィルム５０は、ネガでもポジでもよい。
フィルムスキャンシステム１００では、光源部２０と、読み取り部３０の間に、フィルム５０を搭載したバキュームホルダー１０が配置される。
【００１４】
読み取り部３０は、例えば、ＣＣＤ等のラインセンサ等のセンサを備え、センサの駆動機構によりフィルム５０をスキャンすることで、フィルム５０の画像データを検出する。
光源部２０は、読み取り部３０のスキャンに合わせて走査・駆動される構成を示すが、これに限らず、フィルム面を一様に照射する固定されれた構成など、適宜の構成を用いることができる。
このとき、従来のフラットベッドスキャナーでは、フィルム５０面と読み取り部３０との間に、ガラスやアクリル等の原稿台が介在するため、直接フィルム５０面の画像データを検出することができない。しかし、本実施の形態のフィルムスキャンシステム１００では、読み取り部３０とフィルム５０との間にガラス等の透明板等が介在しない構成であるため、読み取り部３０によりフィルム５０面から直接画像データを検出することができ、また、読み取り部３０とフィルム５０面とを接近することもできるので、高精細・高解像度の画像データを得ることができる。
処理装置３は、ＣＰＵ（処理部）、メモリ、表示部、出力部、入力部、適宜のインタフェース等を備える。
処理装置３は、排気装置２による排気、画像スキャン及び取り込み等の各制御、処理装置３は、記憶・入出力・表示、各種の画像処理等を行う。なお、これら各制御及び処理は、マニュアルにより動作させてもよい。
【００１５】
図２に、バキュームホルダー１０の斜視図を示す。
図３に、バキュームホルダー１０の構造レイヤーの説明図を示す。
図４に、バキュームホルダー１０の断面図を示す。この断面図は、図６のＡ−Ａ’断面を表す。
図５に、バキュームホルダー１０の断面の拡大説明図を示す。この断面図は、図６のＸ−Ｘ’断面の一部を表す。すなわち、図５（Ａ）は図６の下側、図５（Ｂ）は図６の上側をそれぞれ示す。
図６に、バキュームホルダー１０の平面図を示す。なお、寸法は一例であり、これにが限られない。
【００１６】
バキュームホルダー１０は、スキャンする対象のフィルムを保持するものであり、バキュームユニット１１、透明板１２、枠１３を有する。
枠１３と透明板１２の間に、スキャンされる対象のフィルム５０が搭載される。
【００１７】
透明板１２は、スキャン対象のフィルム５０に対応した、長方形又は正方形又は他の四角形で、無反射の透過性の板又は反射防止のコーティング等がされている透明性の板である。透明板１２としては、例えば、ノングレアガラス（無反射ガラス）・アンチニュートンガラス・その他のガラス、アクリル板、プラスチック板、透明の複数の材料による積層板等を用いることができる。
【００１８】
枠１３は、スキャン対象のフィルム５０に対応した、外側が透明板１２の周囲と同じ又は略同じサイズ及び形状（長方形又は正方形又は他の四角形）であり、透明板１２の周囲部分と重なる予め定められた幅の周辺部を有して内側が開口される。枠１３は、４辺の周辺部の各々に、バキュームユニット１１の各吸気穴１１１の位置に対応して配置された排気穴１３１を複数有する。枠１３は、４辺の周辺部の複数の排気穴１３１の列の内側に、複数の排気穴１３１を塞がないように、スキャンされる対象のフィルム５０が搭載される幅・サイズである。枠１３としては、シリコンゴムシート・シリコン・ゴム・プラスチック等の適宜の弾性材、又は、透明板１２と比べて柔らかい適宜の材料を用いることができる。
【００１９】
バキュームユニット１１は、長方形又は正方形又は他の四角形で、スキャン対象のフィルム５０に対応した透明板１２及び枠１３を搭載するための予め定められた幅の４辺の縁部を有して開口される。
バキュームユニット１１の縁部は、表面に対して透明板１２及び枠１３が搭載される凹部構造であるが、凸部構造又は平坦構造でもよい。凹部構造では、透明板１２の表面がバキュームユニット１１の表面又は表面以内に、周囲の隙間無く収まる程度の深さ及びサイズとすると吸気性能が一層良いことが想定される。
バキュームユニット１１は、４辺の縁部において枠１３の複数の排気穴１３１にそれぞれ対応する位置に設けられた複数の吸気穴１１１と、真空ポンプ等の排気装置２にチューブ等で接続される吸気口１１２と、複数の吸気穴１１１と吸気口１１２を接続する内部又は表面又は裏面等に適宜設けられた吸気路１１３を備える。
【００２０】
バキュームユニット１１は、例えば、内部に吸気路１１３を有する積層構造とすることができる。図示の例では、バキュームユニット１１は、それぞれ開口部分を有する、ホルダートップ１１ａ、第１の中間層１１ｂ、第２の中間層１１ｃ、ホルダーベース１１ｄを備える。
ホルダートップ１１ａは吸気口１１２が空けられており、排気装置へ接続するためホース・管等のジョイントが設けられている。ホルダートップ１１ａ及びホルダーベース１１ｄは、材質としては、例えば、アルミニウム等の金属、プラスチック、アクリル等の適宜材料を用いることができる。さらに、第１の中間層１１ｂは、吸気穴１１１が空けられており、材料としては、例えば、ＳＰＣＣ鋼鈑等の金属、プラスチック、アクリル等の適宜材料を用いることができる。第２の中間層１１ｃは、吸気路１１３が形成されており、例えば、ＰＥＴシート、金属、プラスチック、アクリル等の適宜の材料を用いることができる。第２の中間層１１ｃは、例えば、ＰＥＴ両面テープシートを用いて、ホルダーベース１１ｄに貼り付け後、予め形成された吸気路１１３部分を切り抜くことで、吸気路１１３を作成することができる。
【００２１】
バキュームユニット１１の吸気穴１１１及び枠１３の排気穴１３１は、例えば、１列で予め定められた周囲の辺方向の間隔で、対応して設けられる。また、１列でも複数列でも、周囲の辺方向及び／又はそれに直角な方向に間隔がランダムに設けられてもよい。
吸気口１１２は、フィルム５０全体ができるだけ均一に平面性が保たれるように、バキュームユニット１１の開口部分の周囲の一辺の中心又は中心付近に開口部分に近い位置に設けることができる。複数の吸気穴１１１が、左右対称且つ上下対称に、バキュームユニット１１の開口部分の４辺の周囲の縁部に設けられる。また、吸気路１１３が、左右対称且つ上下対称に、バキュームユニット１１の開口部分の周囲に沿って設けられ、吸気口１１２に集約して導かれる。
【００２２】
つぎに、動作について説明する。
図７に、フィルムスキャンシステムの動作についての説明フローチャートを示す。
図８に、フィルムスキャン装置の動作についての説明図を示す。
以下各ステップについて説明する。
【００２３】
（Ｓ１０１）
スキャンされる対象のフィルム５０が、枠１３の４辺の周辺部の複数の排気穴１３１の列の内側に、複数の排気穴１３１を塞がないように、搭載され、さらに、枠１３とフィルム５０を覆うように、透明板１２がセットされる。
（Ｓ１０３）
フィルム５０の面を下に（読み取り部３０のセンサが配置されている方向に）、バキュームホルダー１０を、フィルムスキャン装置１にセットし、排気装置２と接続する（図８（Ａ）参照）。
【００２４】
（Ｓ１０５）
処理装置２は、真空ポンプ等の排気装置２により吸引・排気することで、フィルム５０が透明板１２の面により吸い寄せられる（図８（Ｂ）参照）。より詳細には、バキュームユニット１１の吸気口１１２に接続された排気装置２により、バキュームユニット１１内部の吸気路１１３を経て、バキュームユニット１１の吸気口１１２及び枠１３の排気穴１３１より、空気が排気・吸気される。これにより、透明板１２とフィルム５０の間の空気が吸引され、フィルム５０が透明板１２と吸着される。よって、フィルム５０が枠１３に押さえられて、透明板１２とフィルム５０と枠１３とバキュームユニット１１が密着されることで、フィルム５０が一層精密に平面・平坦に固定・保持される。
（Ｓ１０７）
処理装置３は、読み取り部３０及び光源部２０を制御して、フィルム５のフィルム面を直接（ガラス等の透明板を介さずに）スキャンして画像データを検出し、検出した画像データをメモリに保存する。
（Ｓ１０９）
処理装置３のＣＰＵは、メモリに保存されたデータを表示部に表示及び／又は出力部等に出力することもできる。
【００２５】
以上のように、本実施の形態では、このように原稿台を介在させず、さらに、透明板１２を無反射とし、光源部２０からの透過光により、フィルム５０から直接画像データを読み取ることで、一層高精度及び高解像度でフィルム５０をスキャンすることができる。
【００２６】
Ｃ．変形例
（１）枠
図９に、枠の変形例の一部の断面図を示す。
なお、さらに、枠１３の排気穴１３１の列の外側に段差を設けてもよい。例えば、図示のように、枠は１３は、排気穴の列の内側に、フィルム５０を装着するために外側の周縁より幅が小さくなるような段差を設けることができる。これにより、透明板１２及びフィルム５０が一層密着されることが期待できる。
【００２７】
（２）光源部及び読み取り部
上述の実施の形態では、読み取り部３０は、光源部２０部からの出力光のフィルム５０の透過光により画像データを取得する例を示した。しかし、これに限らず、例えば読み取り部３０と光源部２０部が一体構成となり、光源部２０の出力光のフィルム５０からの反射光により画像データを取得する構成を採用してもよい。
【００２８】
Ｄ．実施の形態の効果
・本実施の形態では、バキュームホルダーを備えることで、フィルムの平面性を出すことが可能なので、高精細スキャンを実現することができる。さらに、従来ではスキャナー等のガラス越しにフィルムをスキャンすることになるが、本実施の形態では、平面性に加え、ガラス等の透明板無しでスキャンするので、より高解像度・高品質なデータを得ることができる。
・本実施の形態によると、例えば、一枚のフィルムから膨大なデータ量（例えば、５億ｐｉｘｅｌ）の精緻な画像を読み込むことができる。また、本実施の形態によると、例えば８×１０ｉｎｃｈをはじめとする大型フィルムの圧倒的な情報量を、正確に余すこと無くデジタル化することができる。
・本実施の形態のフィルムスキャンシステムによってスキャンした画像は、例えば、８×１０ｉｎｃｈフィルムを対象として、実験をしたところ、例えば、解像度は、３６０ｐｐｉ約１５０ｃｍ×１８８ｃｍとなり、総画素数は５億６千万画素を得ることができた。また、データ量は１．５８ＧＢであった。
【符号の説明】
【００２９】
１００  フィルムスキャンシステム
１  フィルムスキャン装置
２  排気装置
３  処理装置
１０  バキュームホルダー
２０  光源部
３０  読み取り部
５０  フィルム
【図１】
2018007172.tif 000003
【図２】
2018007172.tif 000004
【図３】
2018007172.tif 000005
【図４】
2018007172.tif 000006
【図５】
2018007172.tif 000007
【図６】
2018007172.tif 000008
【図７】
2018007172.tif 000009
【図８】
2018007172.tif 000010
【図９】
2018007172.tif 000011